【手続補正書】
【提出日】平成28年3月28日(2016.3.28)
【手続補正１】
【補正対象書類名】特許請求の範囲
【補正対象項目名】全文
【補正方法】変更
【補正の内容】
【特許請求の範囲】
【請求項１】
液体容器に連結可能な泡立て組立体であって、
出口ノズルを有するメインポンプ本体と、
前記メインポンプ本体に取り付けられたピストンドームであって、該ピストンドームは弾性的に変形可能なドームと、液体ピストン部とを備え、静止位置と、押し込み位置とを有する、ピストンドームと、
前記ピストンドーム及び前記メインポンプ本体によって画定された空気室と、
前記液体ピストン部及び前記メインポンプ本体によって画定され、液体入口弁及び液体出口弁を有する液体室と、
前記空気室と流体的に連通し、前記液体室と流体的に連通する混合ゾーンと、
前記混合ゾーンの下流側の前記出口ノズル内の多孔性部材と、を備え、
前記空気室の容積が、前記ピストンドームの位置によって変わり、前記液体室の容積が、前記ピストンドームの前記液体ピストン部の位置によって変わり、起動ストローク中、前記ピストンドームは、前記静止位置から前記押し込み位置まで移動し、それに応答して前記空気室の容積及び前記液体室の容積が減少する、泡立て組立体。
【請求項２】
前記メインポンプ本体が、メインポンプ本体部と、液体孔及び空気孔が形成された第２のポンプ本体部とを含む、請求項１に記載の泡立て組立体。
【請求項３】
前記液体入口弁が、前記第２のポンプ本体部内に一体的に形成される、請求項２に記載の泡立て組立体。
【請求項４】
前記第２のポンプ本体部が、さらに、その中に一体的に形成された空気通路を含み、前記空気通路は、前記空気室と前記混合ゾーンの間を延びる、請求項２又は３に記載の泡立て組立体。
【請求項５】
前記液体容器と流体的に連通する空気入口弁をさらに含む、請求項１から４のいずれか一項に記載の泡立て組立体。
【請求項６】
前記混合ゾーンが、上流側端部及び下流側端部を有する細長い混合チャネルを含み、前記液体室が、前記液体出口弁を介して、前記細長い混合チャネルの前記上流側端部と流体的に連通する、請求項１から５のいずれか一項に記載の泡立て組立体。
【請求項７】
前記細長い混合チャネルの前記下流側端部に面取り部をさらに含み、前記面取り部は、下流側方向に拡大している、請求項６に記載の泡立て組立体。
【請求項８】
前記細長い混合チャネルが、前記細長い混合チャネルの前記上流側端部から、下流側に離間した少なくとも一つの空気ポートを含む、請求項７に記載の泡立て組立体。
【請求項９】
混合管及び前記細長い混合チャネルをさらに含み、前記面取り部及び空気ポートが、前記混合管内に形成される、請求項８に記載の泡立て組立体。
【請求項１０】
前記少なくとも一つの空気ポートが、前記細長い混合チャネルの周りに等しく離間した四つの空気ポートである、請求項８又は９に記載の泡立て組立体。
【請求項１１】
前記少なくとも一つの空気ポートが、前記細長い混合チャネルの周りに等しく離間した二つの空気ポートである、請求項８又は９に記載の泡立て組立体。
【請求項１２】
泡立て管をさらに含み、前記泡立て管が、その一方の端部に取り付けられた前記多孔性部材を有する、請求項１から１１のいずれか一項に記載の泡立て組立体。
【請求項１３】
前記泡立て管が、その他方の端部に取り付けられた第２の多孔性部材を有する、請求項１２に記載の泡立て組立体。
【請求項１４】
第２の泡立て管をさらに含み、前記第２の泡立て管が、その一方の端部に取り付けられた第２の泡立て管の多孔性部材を有する、請求項１２又は１３に記載の泡立て組立体。
【請求項１５】
前記液体容器が、直立式液体容器、反転式液体容器、及び反転式ポーチの一つである、請求項１から１４のいずれか一項に記載の泡立て組立体。
【請求項１６】
泡吐出容器であって、
液体容器と、
出口ノズルを有するメインポンプ本体と、
前記メインポンプ本体に取り付けられたピストンドームであって、該ピストンドームは弾性的に変形可能なドームと、液体ピストン部とを備え、静止位置と、押し込み位置とを有する、ピストンドームと、
前記ピストンドーム及び前記メインポンプ本体によって画定された空気室と、
前記液体ピストン部及び前記メインポンプ本体によって画定され、液体入口弁及び液体出口弁を有する液体室と、
前記空気室と流体的に連通し、前記液体室と流体的に連通する混合ゾーンと、
前記混合ゾーンの下流側の前記出口ノズル内の多孔性部材と、を備え、
前記空気室の容積が、前記前記ピストンドームの位置によって変わり、前記液体室の容積が、前記ピストンドームの前記液体ピストン部の位置によって変わり、起動ストローク中、前記ピストンドームは、前記静止位置から前記押し込み位置まで移動し、それに応答して前記空気室の容積及び前記液体室の容積が減少する泡吐出容器。
【請求項１７】
前記メインポンプ本体が、メインポンプ本体部と、液体孔及び空気孔が形成された第２のポンプ本体部とを含む、請求項１６に記載の泡吐出容器。
【請求項１８】
前記液体入口弁が、前記第２のポンプ本体部内に一体的に形成される、請求項１７に記載の泡吐出容器。
【請求項１９】
前記第２のポンプ本体部が、さらに、その中に一体的に形成された空気通路を含み、前記空気通路は、前記空気室と前記混合ゾーンの間を延びる、請求項１７又は１８に記載の泡吐出容器。
【請求項２０】
前記液体容器と流体的に連通する空気入口弁をさらに含む、請求項１６から１９のいずれか一項に記載の泡吐出容器。
【請求項２１】
前記液体容器と流体的に連通する空気入口弁をさらに含み、前記空気入口弁が、前記第２のポンプ本体部内に一体的に形成される、請求項１７から１９のいずれか一項に記載の泡吐出容器。
【請求項２２】
前記混合ゾーンが、上流側端部及び下流側端部を有する細長い混合チャネルを含み、前記液体室が、前記液体出口弁を介して、細長い混合チャネルの前記上流側端部と流体的に連通する、請求項１６から２１のいずれか一項に記載の泡吐出容器。
【請求項２３】
前記細長い混合チャネルの前記下流側端部に面取り部をさらに含み、前記面取り部は、下流側方向に拡大している、請求項２２に記載の泡吐出容器。
【請求項２４】
前記細長い混合チャネルが、前記細長い混合チャネルの前記上流側端部から下流側に離間した少なくとも一つの空気ポートを含む、請求項２３に記載の泡吐出容器。
【請求項２５】
混合管及び前記細長い混合チャネルをさらに含み、前記面取り部が、前記混合管内に形成される、請求項２４に記載の泡吐出容器。
【請求項２６】
前記少なくとも一つの空気ポートが、前記細長い混合チャネルの周りに等しく離間した四つの空気ポートである、請求項２４又は２５に記載の泡吐出容器。
【請求項２７】
前記少なくとも一つの空気ポートが、前記細長い混合チャネルの周りに等しく離間した二つの空気ポートである、請求項２４又は２５に記載の泡吐出容器。
【請求項２８】
泡立て管をさらに含み、前記泡立て管が、その一方の端部に取り付けられた前記多孔性部材を有する、請求項１６から２５のいずれか一項に記載の泡吐出容器。
【請求項２９】
前記泡立て管が、その他方の端部に取り付けられた第２の多孔性部材を有する、請求項２８に記載の泡吐出容器。
【請求項３０】
第２の泡立て管をさらに含み、前記第２の泡立て管が、その一方の端部に取り付けられた第２の泡立て管の多孔性部材を有する、請求項２８又は２９に記載の泡吐出容器。
【請求項３１】
前記液体容器が、直立式液体容器、反転式液体容器、及び反転式ポーチの一つである、請求項１６から３０のいずれか一項に記載の泡吐出容器。
【請求項３２】
吐出容器用ハウジングをさらに含み、前記吐出容器用ハウジングが、前記ピストンドームと係合するための押し付けバーを含む、請求項１６に記載の泡吐出容器。
【請求項３３】
空気室と、液体室と、前記空気室及び前記液体室を加圧するための手段と、多孔性部材と、を有する泡立て組立体において使用するための混合管であって、
上流側端部及び下流側端部を有する細長い混合チャネルであって、前記上流側端部から下流側端部まで実質的に同じ断面積を有した細長い形状の混合チャネルと、
前記細長い混合チャネルの前記下流側端部から、前記細長い混合チャネルの前記断面積より大きい断面積に拡大する面取り部である出口ゾーンと、
前記出口ゾーンよりも長い長さの前記細長い混合チャネルと、を備え、
前記細長い混合チャネルの上流側端部は、液体が前記液体室から加圧下で前記細長い混合チャネル内に押されるように、前記液体室に流体的に連通して形成されており、前記細長い混合チャネルは、空気が前記空気室から加圧下で前記細長い混合チャネル内に押されるように、前記空気室に流体的に連通して形成されている、混合管。
【請求項３４】
前記細長い混合チャネル内に少なくとも一つの空気ポートをさらに含み、各々の空気ポートは、前記空気室と流体的に連通する、請求項３３に記載の混合管。
【請求項３５】
前記少なくとも一つの空気ポートが、前記細長い混合チャネルの周りに離間した複数の空気ポートである、請求項３４に記載の混合管。
【請求項３６】
液体容器に連結可能な泡立て組立体であって、
空気室及び液体室を有するポンプであって、前記ポンプが静止位置から圧縮された位置まで移動する起動ストロークと、前記ポンプが前記圧縮された位置から静止位置まで移動する戻りストロークとを有し、前記空気室及び液体室の容積はそれぞれ、前記圧縮された位置では実質的に小さくなる、ポンプと、
前記空気室と流体的に連通し、前記液体室と流体的に連通する混合ゾーンであって、上流側端部から下流側端部まで実質的に同じ断面積の細長い形状の混合チャネルを有した混合ゾーンと
前記細長い混合チャネルの前記下流側端部から、前記細長い混合チャネルの前記断面積より大きい断面積に拡大する面取り部である出口ゾーンと、
前記出口ゾーンよりも長い長さの前記細長い混合チャネルと、
前記混合ゾーンの下流側の多孔性部材と、を備え、
前記ポンプは、前記空気室から加圧下で前記細長い混合チャネル内に押されるように空気を圧縮し、前記液体室から加圧下で前記細長い混合チャネル内に押されるように液体を圧縮する泡立て組立体。
【請求項３７】
前記細長い混合チャネル内に少なくとも一つの空気ポートをさらに含み、各々の空気ポートは、前記空気室と流体的に連通する、請求項３６に記載の泡立て組立体。
【請求項３８】
前記少なくとも一つの空気ポートが、前記細長い混合チャネルの周りに離間した複数の空気ポートである、請求項３７に記載の泡立て組立体。
【請求項３９】
前記液体室の前記空気室に対する容積は、１：２から１：１２の間である、請求項３６から３８のいずれか一項に記載の泡立て組立体。
【請求項４０】
前記液体室の前記空気室に対する容積は、１：８から１：９の間である、請求項３６から３８のいずれか一項に記載の泡立て組立体。